(57)【要約】【課題】  表示されている映像における目的の商品の商品情報を、的確かつ容易に提供できるシステムを提供する。【解決手段】  本発明に係る商品情報の提供方法は、ユーザからの第１の指示に応じて、再生されている映像を一時停止すると共に、映像中にカーソルを表示し、前記ユーザからの第２の指示に応じて前記カーソルを移動し、前記ユーザからの第３の指示に応じて、現在のカーソル位置により特定される映像中の商品を特定するデータを取得し、前記商品を特定するデータから、前記商品に対応する通信ネットワーク上のサーバを判断し、前記サーバにアクセスし、前記商品に関する商品情報をダウンロードして表示し、前記商品情報の表示に応じて前記入力部から入力される第４の指示に応答して、前記商品の購入を前記サーバに通知する。【選択図】    図４
2008017228.tif 000002
【特許請求の範囲】
【請求項１】
動画像データをデコードして映像を再生するステップと、
ユーザから入力部を介して入力される第１の指示に応じて、前記再生されている映像を一時停止すると共に、映像中にカーソルを表示するステップと、
前記ユーザから前記入力部を介して入力される第２の指示に応じて、前記カーソルを移動するステップと、
前記ユーザから前記入力部を介して入力される第３の指示に応じて、現在のカーソル位置により特定される映像中の商品を特定するデータを取得するステップと、
前記商品を特定するデータから、前記商品に対応する通信ネットワーク上のサーバを判断するステップと、
前記サーバにアクセスし、前記商品に関する商品情報をダウンロードして表示するステップと、
前記商品情報の表示に応じて前記入力部から入力される第４の指示に応答して、前記商品の購入を前記サーバに通知するステップと、
を具備することを特徴とする商品情報の提供方法。
【請求項２】
デジタル放送を受信して、前記動画像データを提供するステップと、
前記第１の指示に応じて、前記動画像データを録画するステップと、
前記商品の購入を通知した後、前記録画された動画像データを再生するステップと、を更に具備することを特徴とする請求項１記載の方法。
【請求項３】
前記取得するステップでは、前記現在のカーソル位置に関する座標情報及び再生時間情報を含む選択位置情報と、現在再生されている映像と該映像中の商品の対応関係を示す対応テーブルとに基づいて、前記商品を特定するデータを取得することを特徴とする請求項１記載の方法。
【請求項４】
前記映像と該映像中の商品の対応関係を示す対応テーブルは、デジタル放送を介して前記動画像データと共に受信されることを特徴とする請求項３記載の方法。
【請求項５】
前記映像と該映像中の商品の対応関係を示す対応テーブルは、前記通信ネットワークを介して受信されることを特徴とする請求項３記載の方法。
【請求項６】
動画像データをデコードし、映像を再生する再生手段と、
ユーザからの指示を入力する入力部と、
前記入力部から入力される第１の指示に応じて、前記再生手段により再生されている映像を一時停止すると共に、映像中にカーソルを表示する手段と、
前記入力部から入力される第２の指示に応じて、前記カーソルを移動する手段と、
前記入力部から入力される第３の指示に応じて、現在のカーソル位置により特定される映像中の商品を特定するデータを取得する取得手段と、
前記商品を特定するデータから、前記商品に対応する通信ネットワーク上のサーバを判断する手段と、
前記サーバにアクセスし、前記商品に関する商品情報をダウンロードして表示する手段と、
前記商品情報の表示に応じて前記入力部から入力される第４の指示に応答して、前記商品の購入を前記サーバに通知する手段と、
を具備することを特徴とする映像再生装置。
【請求項７】
デジタル放送を受信して、前記動画像データを提供する受信手段と、
前記第１の指示に応じて、前記受信手段から提供される前記動画像データを録画する録画手段と、
前記商品の購入を通知した後、前記録画手段により録画された動画像データを再生する手段と、を更に具備することを特徴とする請求項６記載の映像再生装置。
【請求項８】
前記取得手段は、前記現在のカーソル位置に関する座標情報及び再生時間情報を含む選択位置情報を生成する手段と、現在再生されている映像と該映像中の商品の対応関係を示す対応テーブルとを具備し、前記選択位置情報及び前記対応テーブルに基づいて、前記商品を特定するデータを取得することを特徴とする請求項６記載の映像再生装置。
【請求項９】
デジタル放送を受信して、前記動画像データを提供する受信手段を具備し、前記映像と該映像中の商品の対応関係を示す対応テーブルは、前記デジタル放送を介して、前記動画像データと共に前記受信手段により受信されることを特徴とする請求項８記載の映像再生装置。
【請求項１０】
前記映像と該映像中の商品の対応関係を示す対応テーブルは、前記通信ネットワークを介して受信されることを特徴とする請求項８記載の映像再生装置。
【発明の詳細な説明】
【技術分野】
【０００１】
本発明は映像番組中に表示されている商品の購買注文を、インターネット等のネットワーク上のサーバに対して行うことができる映像再生装置に関する。
【背景技術】
【０００２】
テレビ放送を利用した商品販売方法いわゆるテレビショッピングは、商品を販売しようとする販売業者等が対象の商品を紹介する放送コンテンツをテレビ放送によって放送する。従来は、該コンテンツを視聴した視聴者が、電話もしくは郵便にて購入を申し込むことができる。視聴者からの購入申し込みを受けた販売業者が商品を提供し、視聴者がその代金を支払う。
【０００３】
近年では、インターネットと組み合わせたテレビショッピングが実用化されている。テレビ放送番組のなかで商品や連絡先を紹介するとともに、インターネットで商品情報を提供し、オンラインで注文を受け付けるような仕組みである。
【０００４】
下記特許文献１には、このようにデジタル放送を用いて、放送内容に連動した商品を販売するビジネスの方法、およびデジタル放送受信装置が開示されている。この文献では、番組を視聴中に、ユーザが商品情報の表示をリモコンで指示すると、画面に商品情報のリストが表示される。ユーザは、該リストの内容を確認し目的の商品を確定する。すると、該商品の商品情報がインターネット上のサーバからダウンロードされ、画面に表示される。
【特許文献１】特開２００２−３３０４２２号公報
【発明の開示】
【発明が解決しようとする課題】
【０００５】
特許文献１は、商品情報の表示をリモコンで指示したときの映像再生時刻にのみ着目して、商品情報のリストが表示される。従って、同時刻に複数の商品が映像内に含まれる場合に、表示されたリストの内容をよく確認し、再度ユーザの希望する目的の商品を選択しなければならないという問題がある。
【０００６】
そこで本発明では、表示されている映像における目的の商品の商品情報を、的確かつ容易に提供できるシステムの提供を目的としている。
【課題を解決するための手段】
【０００７】
本発明の商品情報の提供方法は、ユーザから入力部を介して入力される第１の指示に応じて、前記再生されている映像を一時停止すると共に、映像中にカーソルを表示するステップと、前記ユーザから前記入力部を介して入力される第２の指示に応じて、前記カーソルを移動するステップと、前記ユーザから前記入力部を介して入力される第３の指示に応じて、現在のカーソル位置により特定される映像中の商品を特定するデータを取得するステップと、前記商品を特定するデータから、前記商品に対応する通信ネットワーク上のサーバを判断するステップと、前記サーバにアクセスし、前記商品に関する商品情報をダウンロードして表示するステップと、前記商品情報の表示に応じて前記入力部から入力される第４の指示に応答して、前記商品の購入を前記サーバに通知するステップと、を具備する。
【０００８】
映像コンテンツは、例えばデジタル放送によって配信される。映像と商品の対応情報及び商品情報は、デジタル放送の映像コンテンツとともにデータ放送コンテンツとして、あるいはネットワークなどの手段により同時あるいは必要時に配信される。
【発明の効果】
【０００９】
本発明では、映像中の商品そのものを直接選択する方法を提供することにより、目的の商品の商品情報（Ｗｅｂコンテンツ）を、的確かつ容易に提供できる。
【発明を実施するための最良の形態】
【００１０】
以下、図面を参照してこの発明の実施形態を説明する。
【００１１】
図１は、本発明の一実施形態に係るシステムの構成を示す図である。本システムは、ＴＶドラマ型Ｗｅｂショップシステムとして実施され、放送局１１、Ｗｅｂコンテンツサーバ１２、テレビ装置１０を含む。
【００１２】
放送局１１はテレビ装置１０に対して映像コンテンツと、後述の映像と商品の対応情報及び商品情報を含むデータ放送コンテンツを配信する。テレビ装置１０は、受信した放送から映像コンテンツを再生し、データ放送コンテンツから必要な映像と商品の対応情報と、商品情報とを取得しそれら情報を保持する。ここで放送とは、ＢＳデジタル及び地上波デジタル等のデジタル放送を示す。ユーザは、リモコン１３でテレビ装置１０上に表示されるカーソルの位置の変更と決定操作を行う。
【００１３】
テレビ装置１０は、ユーザ１０６の決定操作によって選択対象を特定する情報を生成し、同情報を元に映像と商品の対応情報を参照して、選択された位置あるいは選択された位置に近い位置に表示されている商品を選択された商品と判断する。テレビ装置１０は、選択された商品のホームページアドレスを商品情報から取得し、ネットワークを介してＷｅｂコンテンツサーバ１２にリクエストを送信する。
【００１４】
Ｗｅｂコンテンツサーバ１２は、テレビ装置１０からのリクエストを元に所定のＷｅｂコンテンツをテレビ装置１０に送信する。テレビ装置１０は、ネットワークを介して受信したＷｅｂコンテンツを画面に表示する。
【００１５】
図２は、本発明の映像再生装置としてのテレビ装置１０の内部構成例を示すブロック図である。
【００１６】
テレビ装置１０は、放送通信部２１、放送データ処理部２２、ネットワーク通信部２３、ネットワークデータ処理部２４、出力処理部２５、表示部２６、一次記憶部２７、制御部２８、入力部２９を含む。
【００１７】
テレビ装置１０は、放送局１１からの放送波を放送通信部２１で受信し、放送データ処理部２２で映像コンテンツとデータ放送コンテンツに分離する。放送データ処理部２２は映像コンテンツを復号して出力処理部２５に出力し、データ放送コンテンツを制御部２８に出力する。
【００１８】
Ｗｅｂコンテンツサーバ１２とのネットワークを介した通信は、ネットワーク通信部２３により行われる。ネットワーク通信部２３が受信したＷｅｂコンテンツは、ネットワークデータ処理部２４で画面表示用の画像データに変換され、出力処理部２５に送られる。
【００１９】
出力処理部２５は、放送データ処理部２２あるいはネットワークデータ処理部２４からの映像の所定位置にカーソル１０４を合成した映像を生成し、生成した画像を表示部２６に送る。表示部２６は、出力処理部２５からの画像を画面に表示する。
【００２０】
制御部２８は、放送データ処理部２２から送られたデータ放送コンテンツを一時記憶部２７に一時的に蓄積する。ＨＤＤ３０は、放送データ処理部２２から制御部２８を介して送られる映像コンテンツを必要に応じて記録する。リモコン１３からの信号はリモコン信号入力部２９で受信され、操作内容が制御部２８に送られる。制御部２８は、操作内容に基づき例えばカーソルの位置の変更を出力処理部２５に指示、あるいは後に示す決定動作を行う。
【００２１】
次に、映像表示状態から商品情報へのリンク方法を説明する。
【００２２】
図３は、テレビ装置の表示画面例である。表示画面は図３（Ａ）の映像再生画面４１と図３（Ｂ）のＷｅｂコンテンツ再生画面４２を含む。映像再生画面４１は放送を介して受信された映像コンテンツの再生画面である。映像再生画面４１では、カーソルが表示される。Ｗｅｂコンテンツ再生画面４２はネットワーク上のサーバからダウンロードしたＷｅｂコンテンツの再生画面である。Ｗｅｂコンテンツ再生画面４２には、商品名、商品の価格など、カーソルを用いて選択された商品の商品情報が表示される。
【００２３】
図４はユーザ操作による商品選択時の動作を示すフローチャートである。
【００２４】
本発明に係るＴＶドラマ型ＴＶショップ番組を受信及び再生して、表示部２６に表示しているとき、ユーザがリモコン１３上に設けられたＴＶショップ用の所定ボタン（図示されず）を押すと（Ｓ１０１のＹＥＳ）、制御部２８は映像を一時停止し、図３（Ａ）のようにカーソルを表示する。このときの静止画像は例えば一時記録部２７に保持された映像データを用いて表示される。制御部２８は、映像を一時停止すると共に、当該番組の録画を開始する（Ｓ１０３）。つまり制御部２８は、放送データ処理部２２から得られる現在放送中の当該番組の映像データをＨＤＤ３０に記録する。
【００２５】
カーソル位置移動の入力があった場合は（ステップＳ１０４のＹｅｓ）、制御部２８は入力に応じた位置にカーソルを移動する（ステップＳ１０５）。入力が決定動作だった場合は（ステップＳ１０６のＹｅｓ）、カーソルの選択位置（静止画像内のカーソル位置）に基づいて、図５に示すような選択位置情報５０を取得する（Ｓ１０７）。図６は、選択位置情報５０の取得例を示す表示画面である。
【００２６】
映像内時間５２は、選択時に表示されていたフレームの番組開始時からの再生時間長、選択位置座標５３はカーソルの位置座標、選択位置色５４はカーソルの選択位置画素の色情報、近似形状種別５５は近似形状色領域５１の近似形状、近似形状サイズ５６は近似形状色領域５１のサイズである。
【００２７】
近似形状に関する情報５５、５６は次のようにして求まる。まず、図６のように選択位置付近で類似している色の領域を近接色領域５１とする。次に近接色領域５１の形状に最も近い形状を形状リスト５７の中から選び、その形状を近似形状種別５５とする。また近似形状を拡大縮小し近接色領域に最も近づいた時の横方向長さ（画素数）を近似形状サイズ５６とする。
【００２８】
一時記憶部２７に蓄積されたデータ放送コンテンツの中から、図７に示した映像商品対応テーブル６０を取得し、映像商品対応テーブル６０の中から、選択位置情報５０に該当するものを検索して製品ＩＤを得る（Ｓ１０８）。映像商品対応テーブル６０は、例えば受信されるデータ放送コンテンツに応じて、時間経過と共に更新されるデータであって、１フレーム中に商品が複数ある場合、複数の映像商品対応テーブル６０が一時記憶部２７に蓄積される。
【００２９】
また、一時記憶部２７に蓄積されたデータ放送コンテンツの中から、ステップＳ１０８で求めた製品ＩＤに関する製品情報テーブル７０を得る。図８は製品情報テーブル７０の一例を示す。この製品情報テーブル７０は、受信されるデータ放送コンテンツに応じて、時間経過と共に更新されるデータであってもよいし、例えば番組開始時にまとめて受信してもよい。製品情報テーブル７０を参照して、製品ＩＤの対応ＵＲＬを判断する（Ｓ１０９）。更に、該ＵＲＬのＷｅｂコンテンツサーバ１２にアクセスし、商品情報コンテンツをダウンロード及び再生し、図３（Ｂ）の再生画面４２ように表示部２６に表示する（Ｓ１１０）。
【００３０】
商品情報コンテンツの再生画面４２に対して、ユーザからリモコンを介して入力される購入指示に応答して、商品の購入をＷｅｂサーバに通知する（Ｓ１１１）。
【００３１】
図３（Ａ）の映像再生画面４１に表示画面を戻し、ＨＤＤ３０に録画している映像を一時停止した時点（ステップＳ１０２の時点）から再生して、表示部２６に表示する（Ｓ１１３）。従って表示部２６には、映像シーンの欠落を伴うことなく一時停止した映像の再生が開始される。
【００３２】
以上説明したように、本発明の一実施形態によれば、映像内の商品をカーソルを用いて選択することにより、期待されるＷｅｂコンテンツを直接表示することができる。
【００３３】
以上の説明はこの発明の実施の形態であって、この発明の装置及び方法を限定するものではなく、様々な変形例を容易に実施することができる。例えば、上記実施形態では、映像コンテンツと２種類の情報（映像商品対応テーブル６０及び商品情報テーブル７０）を放送波から得ているが、情報の一部あるいは全部をネットワークを介してサーバから取得してもよいし、またはＤＶＤなどの光ディスクを介して取得してもよい。
【００３４】
また、上記実施形態では、選択位置の情報と上記２種類の情報をテレビ装置において照合しているが、選択位置の情報をネットワークを介してサーバに送り、サーバ側で照合してＷｅｂコンテンツを返信することもできる。
【００３５】
更に、上記ではユーザ指示に応じて商品情報を表示する例を説明したが、これに限らず、他の情報を表示してもよい。例えば、サッカーの国際試合の番組において、ある選手をカーソルで選択することにより、その選手の名前及び所属チーム名等を表示してもよい。
【図面の簡単な説明】
【００３６】
【図１】本発明の一実施形態に係るシステムの構成例である。
【図２】テレビ装置の内部構成例を示すブロック図である。
【図３】テレビ画面の表示例である。
【図４】ユーザ操作による商品選択時の動作を示すフローチャートである。
【図５】本発明に係る選択位置情報の構成例を示す図である。
【図６】選択位置情報の取得例を示す表示画面である。
【図７】本発明に係る映像商品対応テーブルの構成例を示す図である。
【図８】本発明に係る商品情報テーブルの構成例を示す図である。
【符号の説明】
【００３７】
２１…放送通信部、２２…放送データ処理部、２３…ネットワーク通信部、２４…ネットワークデータ処理部、２５…出力処理部、２６…表示部、２７…一時記憶部、２８制御部、２９…リモコン信号入力部。
【図１】
2008017228.tif 000003
【図２】
2008017228.tif 000004
【図３】
2008017228.tif 000005
【図４】
2008017228.tif 000006
【図５】
2008017228.tif 000007
【図６】
2008017228.tif 000008
【図７】
2008017228.tif 000009
【図８】
2008017228.tif 000010